(57)【要約】  本発明では、無線通信システムにおいて端末が基地局から下りリンク信号を受信する方法を開示する。具体的には、この方法は、基地局から下りリンク制御チャネルを受信するステップと、下りリンク制御チャネルに有された制御情報を用いて、下りリンクデータチャネル及び下りリンクデータチャネルの復調のためのスロット前端割り当て参照信号を受信するステップと、を有し、スロット前端割り当て参照信号は、下りリンク制御チャネルが特定の識別子でマスクされた場合、最小インデックスのアンテナポート上の単一シンボル上において繰り返し因子が２であることを特徴とする。【選択図】  図９
2019537905.tif 000002
【特許請求の範囲】
【請求項１】
無線通信システムにおいて、端末が基地局から下りリンク信号を受信する方法であって、
前記基地局から下りリンク制御チャネルを受信するステップと、
前記下りリンク制御チャネルに有された制御情報を用いて、下りリンクデータチャネル及び前記下りリンクデータチャネルの復調のためのスロット前端割り当て参照信号を受信するステップと、を有し、
前記スロット前端割り当て参照信号は、
前記下りリンク制御チャネルが特定の識別子でマスクされた場合、最小インデックスのアンテナポート上の単一シンボル上において繰り返し因子が２である、下りリンク信号の受信方法。
【請求項２】
前記特定の識別子は、
前記下りリンクデータチャネルがブロードキャストデータチャネルであることを指示する、請求項１に記載の下りリンク信号の受信方法。
【請求項３】
前記下りリンクデータチャネルが割り当てられるシンボルの数に基づいて、前記スロット前端割り当て参照信号に付加される追加の参照信号が受信されるか否かが決定される、請求項１に記載の下りリンク信号の受信方法。
【請求項４】
前記スロット前端割り当て参照信号に付加される追加の参照信号のシンボルの数は、
前記下りリンクデータチャネルが割り当てられるシンボルの数によって固定される、請求項３に記載の下りリンク信号の受信方法。
【請求項５】
前記下りリンク制御チャネルは、前記スロット前端割り当て参照信号及び前記追加の参照信号に関する情報を有しない、請求項３に記載の下りリンク信号の受信方法。
【請求項６】
無線通信システムにおいて、基地局が端末に下りリンク信号を送信する方法であって、
前記端末に下りリンク制御チャネルを送信するステップと、
前記端末に前記下りリンク制御チャネルに対応する下りリンクデータチャネル及び前記下りリンクデータチャネルの復調のためのスロット前端割り当て参照信号を送信するステップと、を有し、
前記スロット前端割り当て参照信号は、
前記下りリンク制御チャネルが特定の識別子でマスクされた場合、最小インデックスのアンテナポート上の単一シンボル上において繰り返し因子が２である、下りリンク信号の送信方法。
【請求項７】
前記特定の識別子は、
前記下りリンクデータチャネルがブロードキャストデータチャネルであることを指示する、請求項６に記載の下りリンク信号の送信方法。
【請求項８】
前記下りリンクデータチャネルが割り当てられるシンボルの数に基づいて、前記スロット前端割り当て参照信号に付加される追加の参照信号が受信されるか否かが決定される、請求項６に記載の下りリンク信号の送信方法。
【請求項９】
前記スロット前端割り当て参照信号に付加される追加の参照信号のシンボルの数は、
前記下りリンクデータチャネルが割り当てられるシンボルの数によって固定される、請求項８に記載の下りリンク信号の送信方法。
【請求項１０】
前記下りリンク制御チャネルは、前記スロット前端割り当て参照信号及び前記追加の参照信号に関する情報を有しない、請求項８に記載の下りリンク信号の送信方法。
【請求項１１】
無線通信システムにおける端末であって、
無線通信モジュールと、
前記無線通信モジュールと接続されて、基地局から下りリンク制御チャネルを受信し、前記下りリンク制御チャネルに有された制御情報を用いて、下りリンクデータチャネル及び前記下りリンクデータチャネルの復調のためのスロット前端割り当て参照信号を受信するプロセッサと、を有し、
前記スロット前端割り当て参照信号は、
前記下りリンク制御チャネルが特定の識別子でマスクされた場合、最小インデックスのアンテナポート上の単一シンボル上において繰り返し因子が２である、端末。
【請求項１２】
前記特定の識別子は、
前記下りリンクデータチャネルがブロードキャストデータチャネルであることを指示する、請求項１１に記載の端末。
【請求項１３】
前記下りリンクデータチャネルが割り当てられるシンボルの数に基づいて、前記スロット前端割り当て参照信号に付加される追加の参照信号が受信されるか否かが決定される、請求項１１に記載の端末。
【請求項１４】
前記スロット前端割り当て参照信号に付加される追加の参照信号のシンボルの数は、
前記下りリンクデータチャネルが割り当てられるシンボルの数によって固定される、請求項１３に記載の端末。
【請求項１５】
前記下りリンク制御チャネルは、前記スロット前端割り当て参照信号及び前記追加の参照信号に関する情報を有しない、請求項１３に記載の端末。
【発明の詳細な説明】
【技術分野】
【０００１】
本発明は、無線通信システムに関し、より詳細には、次世代通信システムにおけるブロードキャスト（放送）（broadcast）データのためのＤＭ−ＲＳ（DeModulation Reference Signal）の送信方法及びそのための装置に関する。
【背景技術】
【０００２】
本発明が適用できる無線通信システムの一例として、３ＧＰＰ  ＬＴＥ（3rd Generation Partnership Project Long Term Evolution；以下、「ＬＴＥ」という）通信システムについて概略的に説明する。
【０００３】
図１は、無線通信システムの一例としてＥ−ＵＭＴＳネットワーク（網）（network）の構造を概略的に示した図である。Ｅ−ＵＭＴＳ（Evolved Universal Mobile Telecommunications System）は、既存のＵＭＴＳ（Universal Mobile Telecommunications System）から発展（進化）した（evolved）システムであって、現在、３ＧＰＰで基礎的な標準化作業を進めている。一般に、Ｅ−ＵＭＴＳは、ＬＴＥ（Long Term Evolution）システムと称することもできる。ＵＭＴＳ及びＥ−ＵＭＴＳの技術規格（technical specification）の詳細な内容は、それぞれ「3rd Generation Partnership Project；Technical Specification Group Radio Access Network」のＲｅｌｅａｓｅ７及びＲｅｌｅａｓｅ８を参照することができる。
【０００４】
図１を参照すると、Ｅ−ＵＭＴＳは、端末（User Equipment；ＵＥ）、基地局（ｅＮｏｄｅ  Ｂ；ｅＮＢ）、及びネットワーク（E-UTRAN）の終端に位置し、外部ネットワークと接続されるアクセス（接続）ゲートウェイ（Access Gateway；ＡＧ）を含む。基地局は、ブロードキャストサービス、マルチキャストサービス及び／又はユニキャストサービスのために多重データストリーム（multiple data streams）を同時に送信することができる。
【０００５】
一つの基地局には、一つ又は複数のセルが存在する。セルは、１．２５Ｍｈｚ、２．５Ｍｈｚ、５Ｍｈｚ、１０Ｍｈｚ、１５Ｍｈｚ、２０Ｍｈｚなどの帯域幅のうちの一つに設定され、いくつかの（多くの）（several）端末に下り又は上り送信サービスを提供する。互いに異なるセルは、互いに異なる帯域幅を提供するように設定することができる。基地局は、複数の端末に対するデータ送受信を制御する。下りリンク（DownLink；ＤＬ）データに対して、基地局は、下りリンクスケジューリング情報を送信し、該当の端末にデータが送信される時間／周波数領域、符号化、データサイズ、ＨＡＲＱ（Hybrid Automatic Repeat and reQuest）関連情報などを知らせる。また、上りリンク（UpLink；ＵＬ）データに対して、基地局は、上りリンクスケジューリング情報を該当端末に送信し、該当端末が使用可能な時間／周波数領域、符号化、データサイズ、ＨＡＲＱ関連情報などを知らせる。各基地局間では、ユーザトラフィック又は制御トラフィックの送信のためのインターフェースを使用することができる。コアネットワーク（核心網）（Core Network；ＣＮ）は、ＡＧ及び端末のユーザ登録などのためのネットワークノードなどで構成することができる。ＡＧは、複数のセルで構成されるＴＡ（Tracking Area）単位で端末のモビリティ（移動性）（mobility）を管理する。
【０００６】
無線通信技術は、ＷＣＤＭＡ（登録商標）に基づいてＬＴＥまで開発されてきたが、ユーザ及び事業者の要求及び期待は持続的に増加している。また、他の無線アクセス（接続）技術（radio access technologies）が続いて開発されているので、今後、競争力を有するためには新たな技術発展が要求され、ビット当たりのコスト（費用）（cost）の減少、サービス使用可能性（可用性）（service availability）の増大、融通性のある周波数バンドの使用、単純構造及びオープン（開放型）（open）インターフェース、端末の適切な電力消費（パワー消耗）（power consumption）などが要求される。
【発明の概要】
【発明が解決しようとする課題】
【０００７】
上述した論議に基づいて、以下では、次世代通信システムにおけるブロードキャストデータのためのＤＭ−ＲＳの送信方法及びそのための装置を提案する。
【課題を解決するための手段】
【０００８】
本発明の一態様によれば、無線通信システムにおいて、端末が基地局から下りリンク信号を受信する方法は、基地局から下りリンク制御チャネルを受信するステップと、下りリンク制御チャネルに有された制御情報を用いて、下りリンクデータチャネル及び下りリンクデータチャネルの復調のためのスロット前端割り当て参照信号を受信するステップと、を有し、スロット前端割り当て参照信号は、下りリンク制御チャネルが特定の識別子でマスクされた場合、最小インデックスのアンテナポート上の単一シンボル上において繰り返し因子が２であることを特徴とする。
【０００９】
一方、本発明の一態様によれば、無線通信システムにおいて、基地局が端末に下りリンク信号を送信する方法は、端末に下りリンク制御チャネルを送信するステップと、端末に下りリンク制御チャネルに対応する下りリンクデータチャネル及び下りリンクデータチャネルの復調のためのスロット前端割り当て参照信号を送信するステップと、を有し、スロット前端割り当て参照信号は、下りリンク制御チャネルが特定の識別子でマスクされた場合、最小インデックスのアンテナポート上の単一シンボル上において繰り返し因子が２であることを特徴とする。
【００１０】
また、本発明の一態様によれば、無線通信システムにおける端末は、無線通信モジュールと、無線通信モジュールと接続されて、基地局から下りリンク制御チャネルを受信し、下りリンク制御チャネルに有された制御情報を用いて、下りリンクデータチャネル及び下りリンクデータチャネルの復調のためのスロット前端割り当て参照信号を受信するプロセッサと、を有し、スロット前端割り当て参照信号は、下りリンク制御チャネルが特定の識別子でマスクされた場合、最小インデックスのアンテナポート上の単一シンボル上において繰り返し因子が２であることを特徴とする。
【００１１】
好ましくは、特定の識別子は、下りリンクデータチャネルがブロードキャストデータチャネルであることを指示することを特徴とする。
【００１２】
好ましくは、下りリンクデータチャネルが割り当てられるシンボルの数に基づいて、スロット前端割り当て参照信号に付加される追加の参照信号が受信されるか否かが決定されることを特徴とする。特に、スロット前端割り当て参照信号に付加される追加の参照信号のシンボルの数は、下りリンクデータチャネルが割り当てられるシンボルの数によって固定されることを特徴とする。
【００１３】
このような本発明の実施例によれば、下りリンク制御チャネルは、スロット前端割り当て参照信号及び追加の参照信号に関する情報を有しないことを特徴とする。
【発明の効果】
【００１４】
本発明の実施例によれば、次世代通信システムにおいて、ブロードキャストデータのためのＤＭ−ＲＳをより効率的に送信することができる。
【００１５】
本発明で得られる効果は、以上で言及した効果に制限されず、言及しなかった他の効果は、下記の記載から本発明が属する当該技術分野における当業者に明確に理解されるであろう。
【図面の簡単な説明】
【００１６】
【図１】無線通信システムの一例としてＥ−ＵＭＴＳネットワーク構造を概略的に示す図である。
【図２】３ＧＰＰ無線アクセスネットワーク（接続網）（radio access network）の規格に基づく端末とＥ−ＵＴＲＡＮとの間の無線インターフェースプロトコル（Radio Interface Protocol）の制御プレーン（Control Plane）及びユーザプレーン（User Plane）を示す図である。
【図３】３ＧＰＰシステムに用いられる物理チャネル及びこれらを用いた一般的な信号送信方法を説明する図である。
【図４】ＬＴＥシステムで使用される無線フレームの構造を例示する図である。
【図５】ＬＴＥシステムで使用される下りリンク無線フレームの構造を例示する図である。
【図６】ＬＴＥシステムで使用される上りリンクサブフレームの構造を例示する図である。
【図７】ＴＸＲＵとアンテナ要素との接続方式の一例を示す図である。
【図８】自己完結型（Self-contained）サブフレームの構造の一例を示す図である。
【図９】本発明の実施例によって、ＮＲシステムにおける端末がブロードキャストＰＤＳＣＨを受信する方法を例示するフローチャートである。
【図１０】本発明の一実施例による通信装置のブロック構成図を例示する図である。
【発明を実施するための形態】
【００１７】
以下、添付図面を参照して説明した本発明の各実施例により、本発明の構成、作用及び他の特徴が容易に理解されるであろう。以下で説明する各実施例は、本発明の技術的特徴が３ＧＰＰシステムに適用された例である。
【００１８】
この明細書では、ＬＴＥシステム及びＬＴＥ−Ａシステムを用いて本発明の各実施例を説明するが、これは例示に過ぎない。したがって、本発明の各実施例は、上記の定義に該当するいずれの通信システムにも適用することができる。
【００１９】
また、この明細書では、基地局の名称が、ＲＲＨ（Remote Radio Head）、ｅＮＢ、ＴＰ（Transmission Point）、ＲＰ（Reception Point）、中継器（relay）などを含む包括的な用語で使用されている。
【００２０】
図２は、３ＧＰＰ無線アクセスネットワークの規格に基づく端末とＥ−ＵＴＲＡＮとの間の無線インターフェースプロトコル（Radio Interface Protocol）の制御プレーン（Control Plane）及びユーザプレーン（User Plane）の構造を示す図である。制御プレーンは、端末（User Equipment；ＵＥ）とネットワークとが呼を管理するために用いる制御メッセージが送信される通信路（通路）（path）を意味する。ユーザプレーンは、アプリケーション層で生成されたデータ、例えば、音声データ又はインターネットパケットデータなどが送信される通信路を意味する。
【００２１】
第１の層である物理層は、物理チャネル（Physical Channel）を用いて上位層に情報送信サービス（Information Transfer Service）を提供する。物理層は、上位にあるメディアアクセス（媒体接続）制御（Medium Access Control）層とはトランスポート（送信）チャネル（Transport Channel）を介して接続（連結）される（connected）。このトランスポートチャネルを介してメディアアクセス制御層と物理層との間でデータが移動する。送信側と受信側との物理層間では、物理チャネルを介してデータが移動する。物理チャネルは、時間及び周波数を無線リソースとして活用する。具体的には、物理チャネルは、下りリンクにおいて、ＯＦＤＭＡ（Orthogonal Frequency Division Multiple Access）方式で変調され、上りリンクにおいては、ＳＣ−ＦＤＭＡ（Single Carrier Frequency Division Multiple Access）方式で変調される。
【００２２】
第２の層であるメディアアクセス（媒体接続）制御（Medium Access Control；ＭＡＣ）層は、論理チャネル（Logical Channel）を介して上位層である無線リンク制御（Radio Link Control；ＲＬＣ）層にサービスを提供する。第２の層のＲＬＣ層は、信頼性のあるデータ送信をサポート（支援）する（supports）。ＲＬＣ層の機能は、ＭＡＣ内部の機能ブロックにより具現されることもできる。第２の層のＰＤＣＰ（Packet Data Convergence Protocol）層は、帯域幅が狭い無線インターフェースにおいてＩＰｖ４或いはＩＰｖ６などのＩＰパケットを効率的に送信するために不要な制御情報を減らすヘッダ圧縮（Header Compression）の機能を果たす。
【００２３】
第３の層の最下部に位置する無線リソース制御（Radio Resource Control；ＲＲＣ）層は、制御プレーンでのみ定義される。ＲＲＣ層は、無線ベアラ（Radio Bearer；ＲＢ）の設定（Configuration）、再設定（Re-configuration）及び解放（解除）（Release）に関連して論理チャネル、トランスポートチャネル及び物理チャネルの制御を担当する。ＲＢは、端末とネットワークとの間のデータ伝達のために第２の層により提供されるサービスを意味する。このために、端末とネットワークとのＲＲＣ層は、互いにＲＲＣメッセージを交換する。端末とネットワークとのＲＲＣ層の間にＲＲＣ接続（連結）（RRC Connected）がある場合、端末は、ＲＲＣ接続状態（Connected Mode）であり、そうでない場合は、ＲＲＣアイドル（休止）状態（Idle Mode）である。ＲＲＣ層の上位にあるＮＡＳ（Non-Access Stratum）層は、セッション管理（Session Management）及びモビリティ管理（Mobility Management）などの機能を果たす。
【００２４】
ネットワークから端末にデータを送信する下りトランスポート（送信）チャネル（transmission channels）としては、システム情報を送信するＢＣＨ（Broadcast CHannel）、ページングメッセージを送信するＰＣＨ（Paging CHannel）、ユーザトラフィックや制御メッセージを送信する下りＳＣＨ（Shared CHannel）などがある。下りマルチキャスト又はブロードキャスト（放送）（broadcast）サービスのトラフィック又は制御メッセージの場合、下りＳＣＨを介して送信され、又は追加（特）の（additional）下りＭＣＨ（Multicast CHannel）を介して送信されることができる。なお、端末からネットワークにデータを送信する上りトランスポートチャネルとしては、初期制御メッセージを送信するＲＡＣＨ（Random Access CHannel）、ユーザトラフィックや制御メッセージを送信する上りＳＣＨ（Shared CHannel）がある。トランスポートチャネルの上位にありかつトランスポートチャネルにマッピングされる論理チャネル（Logical Channel）としては、ＢＣＣＨ（Broadcast Control CHannel）、ＰＣＣＨ（Paging Control CHannel）、ＣＣＣＨ（Common Control CHannel）、ＭＣＣＨ（Multicast Control CHannel）、ＭＴＣＨ（Multicast Traffic CHannel）などがある。
【００２５】
図３は、３ＧＰＰシステムに用いられる物理チャネル及びこれらを用いた一般的な信号送信方法を説明する図である。
【００２６】
端末は、電源がオンになったり新たにセルに進入した場合、基地局と同期を取るなどの初期セルサーチ（探索）（Initial cell search）作業を行う（Ｓ３０１）。このために、端末は、基地局からプライマリ（主）同期チャネル（Primary Synchronization CHannel；Ｐ−ＳＣＨ）及びセカンダリ（副）同期チャネル（Secondary Synchronization CHannel；Ｓ−ＳＣＨ）を受信することによって基地局と同期を取り、セルＩＤなどの情報を得ることができる。その後、端末は、基地局から物理ブロードキャストチャネル（Physical Broadcast Channel）を受信してセル内のブロードキャスト情報を得ることができる。なお、端末は、初期セルサーチ段階において下りリンク参照信号（DownLink Reference Signal；ＤＬ  ＲＳ）を受信して下りリンクチャネル状態を確認することができる。
【００２７】
初期セルサーチを終了した端末は、物理下りリンク制御チャネル（Physical Downlink Control CHannel；ＰＤＣＣＨ）及び該ＰＤＣＣＨに載せられた情報によって物理下りリンク共有チャネル（Physical Downlink Control CHannel；ＰＤＳＣＨ）を受信することによって、より具体的なシステム情報を得ることができる（Ｓ３０２）。
【００２８】
一方、基地局に最初に接続したか或いは信号送信のための無線リソースがない場合、端末は、基地局に対してランダムアクセス（任意接続）過程（Random Access Procedure；ＲＡＣＨ）を行うことができる（段階Ｓ３０３〜段階Ｓ３０６）。このために、端末は、物理ランダムアクセスチャネル（Physical Random Access CHannel；ＰＲＡＣＨ）を介して特定シーケンスをプリアンブルとして送信し（Ｓ３０３及びＳ３０５）、ＰＤＣＣＨ及び対応するＰＤＳＣＨを介してプリアンブルに対する応答メッセージを受信することができる（Ｓ３０４及びＳ３０６）。コンテンション（競合）ベースの（contention-based）ＲＡＣＨの場合、さらに衝突解決手順（Contention Resolution Procedure）を行うことができる。
【００２９】
上述した手順を行った端末は、その後、一般的な上り／下りリンク信号送信の手順として、ＰＤＣＣＨ／ＰＤＳＣＨの受信（Ｓ３０７）及び物理上りリンク共有チャネル（Physical Uplink Shared CHannel；ＰＵＳＣＨ）／物理上りリンク制御チャネル（Physical Uplink Control CHannel；ＰＵＣＣＨ）の送信（Ｓ３０８）を行う。特に、端末は、ＰＤＣＣＨを介して下りリンク制御情報（Downlink Control Information；ＤＣＩ）を受信する。ここで、ＤＣＩは、端末に対するリソース割り当て情報などの制御情報を含み、その使用目的に応じてフォーマットが互いに異なる。
【００３０】
一方、端末が上りリンクを通じて基地局に送信したり又は端末が基地局から受信したりする制御情報は、下り／上りリンクＡＣＫ／ＮＡＣＫ信号、ＣＱＩ（Channel Quality Indicator）、ＰＭＩ（Precoding Matrix Index）、ＲＩ（Rank Indicator）などを含む。３ＧＰＰ  ＬＴＥシステムの場合、端末は、上述したＣＱＩ／ＰＭＩ／ＲＩなどの制御情報を、ＰＵＳＣＨ及び／又はＰＵＣＣＨを介して送信することができる。
【００３１】
図４は、ＬＴＥシステムで使用される無線フレームの構造を例示する図である。
【００３２】
図４を参照すると、無線フレーム（radio frame）は、１０ｍｓ（３２７２００×Ｔｓ）の長さを有し、１０個の均等なサイズのサブフレーム（subframe）で構成されている。各々のサブフレームは、１ｍｓの長さを有し、２つのスロット（slot）で構成されている。各々のスロットは、０．５ｍｓ（１５３６０×Ｔｓ）の長さを有する。ここで、ＴSは、サンプリング時間を示し、ＴS＝１／（１５ｋＨｚ×２０４８）＝３.２５５２×１０-8（約３３ｎｓ）のように表される。スロットは、時間領域において複数のＯＦＤＭシンボルを含み、周波数領域において複数のリソースブロック（Resource Block；ＲＢ）を含む。ＬＴＥシステムにおいて、１つのリソースブロックは、１２個の副搬送波×７（６）個のＯＦＤＭシンボルを含む。データが送信される単位時間であるＴＴＩ（Transmission Time Interval）は、１つ又は複数のサブフレームの単位で決められることができる。上述した無線フレームの構造は例示に過ぎず、無線フレームに含まれるサブフレームの数、サブフレームに含まれるスロットの数及びスロットに含まれるＯＦＤＭシンボルの数は、多様に変更可能である。
【００３３】
図５は、下りリンク無線フレームにおいて１つのサブフレームの制御領域に含まれる制御チャネルを例示する図である。
【００３４】
図５を参照すると、サブフレームは、１４個のＯＦＤＭシンボルで構成されている。サブフレームの設定によって最初の１〜３個のＯＦＤＭシンボルは、制御領域として使用され、残りの１３〜１１個のＯＦＤＭシンボルは、データ領域として使用される。図面において、Ｒ０〜Ｒ３は、アンテナ０〜３に対する参照信号（Reference Signal（ＲＳ）又はPilot Signal）を示す。ＲＳは、制御領域及びデータ領域とは関係なく、サブフレーム内に一定のパターンで固定される。制御チャネルは、制御領域のうちでＲＳが割り当てられないリソースに割り当てられ、トラフィックチャネルもデータ領域のうちでＲＳが割り当てられないリソースに割り当てられる。制御領域に割り当てられる制御チャネルとしては、ＰＣＦＩＣＨ（Physical Control Format Indicator CHannel）、ＰＨＩＣＨ（Physical Hybrid-ARQ Indicator CHannel）、ＰＤＣＣＨ（Physical Downlink Control CHannel）などがある。
【００３５】
ＰＣＦＩＣＨは、物理制御フォーマット指示子チャネルであって、サブフレームごとにＰＤＣＣＨに使用されるＯＦＤＭシンボルの数を端末に知らせる。ＰＣＦＩＣＨは、最初のＯＦＤＭシンボルに位置し、ＰＨＩＣＨ及びＰＤＣＣＨに優先して設定される。ＰＣＦＩＣＨは、４つのＲＥＧ（Resource Element Group）で構成され、それぞれのＲＥＧは、セルＩＤ（Cell IDentity）に基づいて制御領域内に分散される。１つのＲＥＧは、４つのＲＥ（Resource Element）で構成される。ＲＥは、１つの副搬送波×１つのＯＦＤＭシンボルで定義される最小物理リソースを示す。ＰＣＦＩＣＨ値は、帯域幅によって１〜３又は２〜４の値を指示し、ＱＰＳＫ（Quadrature Phase Shift Keying）で変調される。
【００３６】
ＰＨＩＣＨは、物理ＨＡＲＱ（Hybrid-Automatic Repeat and reQuest）指示子チャネルであって、上りリンク送信に対するＨＡＲＱ  ＡＣＫ／ＮＡＣＫを運ぶために使用される。即ち、ＰＨＩＣＨは、ＵＬ  ＨＡＲＱのためのＤＬ  ＡＣＫ／ＮＡＣＫ情報が送信されるチャネルを示す。ＰＨＩＣＨは、１つのＲＥＧで構成され、セル固有（特定）（cell-specific）にスクランブル（scrambling）される。ＡＣＫ／ＮＡＣＫは、１ビットで指示され、ＢＰＳＫ（Binary Phase Shift Keying）で変調される。変調されたＡＣＫ／ＮＡＣＫは、拡散率（拡散因子）（Spreading Factor；ＳＦ）＝２又は４で拡散される。同一のリソースにマッピングされる複数のＰＨＩＣＨは、ＰＨＩＣＨグループを構成する。ＰＨＩＣＨグループに多重化されるＰＨＩＣＨの数は、拡散コードの数によって決定される。ＰＨＩＣＨ（グループ）は、周波数領域及び／又は時間領域でダイバーシチの利得を得るために３回繰り返（repetition）される。
【００３７】
ＰＤＣＣＨは、物理下りリンク制御チャネルであって、サブフレームの最初のｎ個のＯＦＤＭシンボルに割り当てられる。ここで、ｎは、１以上の整数であって、ＰＣＦＩＣＨによって指示される。ＰＤＣＣＨは、１つ又は複数のＣＣＥで構成される。ＰＤＣＣＨは、トランスポートチャネルであるＰＣＨ（Paging CHannel）及びＤＬ−ＳＣＨ（DownLink-Shared CHannel）のリソース割り当てに関連する情報、上りリンクスケジューリンググラント（Uplink Scheduling Grant）、ＨＡＲＱ情報などを各端末又は端末グループに知らせる。ＰＣＨ（Paging CHannel）及びＤＬ−ＳＣＨ（DownLink-Shared CHannel）は、ＰＤＳＣＨを介して送信される。よって、基地局及び端末は、一般的に、特定の制御情報又は特定のサービスデータを除いては、ＰＤＳＣＨを介してデータをそれぞれ送信及び受信する。
【００３８】
ＰＤＳＣＨのデータは、どの端末（１つ又は複数の端末）に送信されるものであり、各々の端末がどのようにＰＤＳＣＨデータを受信してデコードするかに関する情報などが、ＰＤＣＣＨに含まれて送信される。例えば、特定のＰＤＣＣＨが「Ａ」というＲＮＴＩ（Radio Network Temporary Identity）でＣＲＣマスク（masking）されており、「Ｂ」という無線リソース（例えば、周波数位置）及び「Ｃ」というＤＣＩフォーマット、即ち送信形式（transport format）情報（例えば、送信ブロックサイズ（transport block size）、変調方式、コーディング情報など）を用いて送信されるデータに関する情報が、特定のサブフレームを介して送信されると仮定する。この場合、セル内の端末は、自体が有しているＲＮＴＩ情報を用いて検索領域でＰＤＣＣＨをモニタリングして、即ち、ブラインドデコードして、「Ａ」というＲＮＴＩを有する１つ又は複数の端末があれば、上記端末は、ＰＤＣＣＨを受信し、受信したＰＤＣＣＨの情報を通じて「Ｂ」と「Ｃ」により指示されるＰＤＳＣＨを受信する。
【００３９】
図６は、ＬＴＥシステムで使用される上りリンクサブフレームの構造を示す図である。
【００４０】
図６を参照すると、上りリンクサブフレームは、制御情報を運ぶＰＵＣＣＨ（Physical Uplink Control CHannel）が割り当てられる領域と、ユーザデータを運ぶＰＵＳＣＨ（Physical Uplink Shared CHannel）が割り当てられる領域と、に分けられる。サブフレームの中間部分がＰＵＳＣＨに割り当てられ、周波数領域においてデータ領域の両側部分がＰＵＣＣＨに割り当てられる。ＰＵＣＣＨ上で送信される制御情報としては、ＨＡＲＱに使用されるＡＣＫ／ＮＡＣＫ、下りリンクチャンネル状態を示すＣＱＩ（Channel Quality Indicator）、ＭＩＭＯのためのＲＩ（Rank Indicator）、上りリンクリソース割り当て要求（要請）（request）であるＳＲ（Scheduling Request）などがある。１つの端末に対するＰＵＣＣＨは、サブフレーム内の各々のスロットで互いに異なる周波数を占める１つのリソースブロックを使用する。即ち、ＰＵＣＣＨに割り当てられる２つのリソースブロックは、スロット境界で周波数ホッピング（frequency hopping）される。特に、図６は、ｍ＝０であるＰＵＣＣＨ、ｍ＝１であるＰＵＣＣＨ、ｍ＝２であるＰＵＣＣＨ、ｍ＝３であるＰＵＣＣＨが、サブフレームに割り当てられることを例示している。
【００４１】
以下、チャネル状態情報（Channel State Information，ＣＳＩ）の報告について説明する。現在、ＬＴＥ標準では、チャネル状態情報無しで運用される開ループ（open-loop）ＭＩＭＯと、チャネル状態情報に基づいて運用される（operating）閉ループ（closed-loop）ＭＩＭＯと、という２つの送信方式が存在する。特に、閉ループＭＩＭＯでは、ＭＩＭＯアンテナの多重化利得（多重化ｇａｉｎ）を得るために、基地局及び端末は、チャネル状態情報に基づいてビームフォーミングを行うことができる。基地局は、チャネル状態情報を端末から得るために、端末にＰＵＣＣＨ（Physical Uplink Control CHannel）又はＰＵＳＣＨ（Physical Uplink Shared CHannel）を割り当てて、下りリンク信号に対するチャネル状態情報（ＣＳＩ）をフィードバックするように命令する。
【００４２】
ＣＳＩは、ＲＩ（Rank Indicator）、ＰＭＩ（Precoding Matrix Index）、ＣＱＩ（Channel Quality Indication）の３つの情報に大別される。先ず、ＲＩは、上述のように、チャネルのランク情報を示し、端末が同一の周波数−時間リソースによって受信できるストリーム数を意味する。また、ＲＩは、チャネルの長期フェージング（long term fading）によって決定されるため、通常、ＰＭＩ、ＣＱＩ値よりも長い周期で基地局にフィードバックされる。
【００４３】
次に、ＰＭＩは、チャネルの空間特性を反映した値であって、ＳＩＮＲ（Signal-to-Interference and Noise Ratio）などのメトリック（メートル）（metric）を基準として、端末が選好するプリコーディング行列インデックスを示す。最後に、ＣＱＩは、チャネルの強度を示す値であって、通常、基地局がＰＭＩを用いるときに得られる受信ＳＩＮＲのことを意味する。
【００４４】
３ＧＰＰ  ＬＴＥ−Ａシステムにおいて、基地局は、複数のＣＳＩプロセスをＵＥに設定して、各プロセスに対するＣＳＩが報告される。ここで、ＣＳＩプロセスは、基地局からの信号品質の特定のためのＣＳＩ−ＲＳリソースと、干渉測定のためのＣＳＩ−ＩＭ（Interference Measurement）リソース、即ち、ＩＭＲ（Interference Measurement Resource）と、で構成される。
【００４５】
Ｍｉｌｌｉｍｅｔｅｒ  Ｗａｖｅ（ｍｍＷ）では波長が短くなるため、同一の面積（area）に多数のアンテナ要素の設置が可能である。具体的には、３０ＧＨｚ帯域において、波長は１ｃｍであって、４  ×（ｂｙ）  ４ｃｍのパネル（panel）に０．５ｌａｍｂｄａ（波長）間隔で２次元（２Ｄ）（Dimension）配列である全６４（８×８）個のアンテナ要素を設けることができる。これにより、ｍｍＷ分野における最近の動向では、多数（複数）のアンテナ要素を使用してＢＦ（Beam Forming）利得を上げてカバレッジを増加させたり、或いはスループット（throughput）を増加させたりすることを試みている。
【００４６】
このとき、アンテナ要素別に送信パワー及び位相の調節ができるように、ＴＸＲＵ（Transceiver Unit）を備えると、周波数リソース別に独立したビームフォーミングが可能である。しかしながら、１００余個の全てのアンテナ要素にＴＸＲＵを設けることは、コスト面で実効性に乏しい問題がある。したがって、１つのＴＸＲＵに複数のアンテナ要素をマッピングし、アナログ位相シフタ（analog phase shifter）でビーム方向を調節する方式が考えられている。かかるアナログビームフォーミング方式では、全帯域において１つのビーム方向しか形成できないので、周波数選択的なビームフォーミングができないというデメリットがある。
【００４７】
デジタルＢＦとアナログＢＦとの中間形態として、Ｑ個のアンテナ要素より少ない数のＢ個のＴＸＲＵを有するハイブリッドＢＦが考えられる。この場合、Ｂ個のＴＸＲＵとＱ個のアンテナ要素との接続（連結）（connection）方式によって差はあるが、同時に送信可能なビームの方向は、Ｂ個以下に制限される。
【００４８】
図７は、ＴＸＲＵとアンテナ要素との接続方式の一例を示す図である。
【００４９】
図７（Ａ）は、ＴＸＲＵが部分配列（サブアレイ）（sub-array）に接続された方式を示している。この場合、アンテナ要素は、１つのＴＸＲＵにのみ接続される。これとは異なり、図７（Ｂ）は、  ＴＸＲＵが全てのアンテナ要素に接続された方式を示している。この場合、アンテナ要素は、全てのＴＸＲＵに接続される。図７において、Ｗは、アナログ位相シフタにより乗じられる位相ベクトルを示す。即ち、Ｗによってアナログビームフォーミングの方向が決定される。ここで、ＣＳＩ−ＲＳアンテナポートとＴＸＲＵとのマッピングは、一対一又は一対多である。
【００５０】
より多くの通信機器がより大きな通信容量を要求することにより、既存のＲＡＴ（Radio Access Technology）に比べて向上した無線広帯域通信に対する必要性が台頭しつつある。また、複数の機器及びモノを接続していつでもどこでも様々なサービスを提供する大規模（massive）ＭＴＣ（Machine Type Communications）が次世代通信において考慮される主な論点（イッシュ）（issues）の１つである。のみならず、信頼度（reliability）及びレイテンシ（latency）にセンシティブ（敏感）な（susceptible）サービス／ＵＥを考慮した通信システムデザインが提示されている。これを考慮した次世代ＲＡＴの導入が論議されており、本発明では、便宜のために、Ｎｅｗ  ＲＡＴと称する。
【００５１】
ＴＤＤシステムにおいてデータ送信レイテンシを最小にするために５世代ＮｅｗＲＡＴでは、図８のような自己完結型（Self-contained）サブフレームの構造を考慮している。図８は、自己完結型サブフレームの構造の一例を示す図である。
【００５２】
図８において、斜線領域は下りリンク制御領域を示し、黒塗り領域は上りリンク制御領域を示す。表示（mark）のない領域は、下りリンクデータ送信のために用いられてもよく、上りリンクデータ送信のために用いられてもよい。この構造の特徴は、１つのサブフレームにおいて下りリンク送信と上りリンク送信とが順次（in due order）行われ、当該サブフレーム内で下りリンクデータを送信したり、上りリンクＡＣＫ／ＮＡＣＫを受信したりすることもできる。結果として、データ送信エラーが発生したとき、データの再送信までかかる時間を減らすことになり、これによって最終データ伝達のレイテンシを最小にすることができる。
【００５３】
このような自己完結型サブフレーム構造において、基地局及びＵＥが送信モードから受信モードに切り替えられる過程、又は受信モードから送信モードに切り替えられる過程のためには、時間間隙（time gap）が必要である。そのために、自己完結型サブフレーム構造において、下りリンクから上りリンクに切り替えられる時点の一部のＯＦＤＭシンボル（OFDM symbol；ＯＳ）がＧＰ（Guard Period）として設定される。
【００５４】
ＮｅｗＲＡＴをベースとして動作するシステムにおいて、構成／設定が可能な上述した自己完結型サブフレームタイプの一例として、少なくとも以下のような４つのサブフレームタイプが考えられる。
【００５５】
−  下りリンク制御区間＋下りリンクデータ区間＋ＧＰ＋上りリンク制御区間
【００５６】
−  下りリンク制御区間＋下りリンクデータ区間
【００５７】
−  下りリンク制御区間＋ＧＰ＋上りリンクデータ区間＋上りリンク制御区間
【００５８】
−  下りリンク制御区間＋ＧＰ＋上りリンクデータ区間
【００５９】
一方、ブロードキャスト（Broadcast）ＰＤＳＣＨ又はマルチキャスト（multicast）ＰＤＳＣＨに関しては、不特定多数のＵＥが同一のＰＤＳＣＨを受信することになる。例えば、（この同一のＰＤＳＣＨには）ページング信号やＳＩＢ（System Information Block）がある。不特定多数のＵＥが受信するＰＤＳＣＨであるため、ＵＥのうちの任意の一つのＵＥが、早い速度で移動していたり又はセル境界に位置して（low）ＳＩＮＲが低い状態であり得る。参考までに、ブロードキャストＰＤＳＣＨは、Ｃ−ＲＮＴＩではなく、ＳＩ−ＲＮＴＩ又はＰ（Paging）−ＲＮＴＩでスクランブルされたＰＤＳＣＨを意味する。
【００６０】
また、現在のＮＲシステムにおいて、ＤＭ−ＲＳは、スロットの前側のＯＦＤＭシンボルでのみ送信される構造である。これをスロット前端割り当て（Front loaded DM-RS only）構造と称する。また、スロットの前側のＯＦＤＭシンボルにＤＭ−ＲＳが送信され、さらにスロットの後側のＯＦＤＭシンボルにもＤＭ−ＲＳが送信される場合も具現されている。すなわち、スロット前端割り当て構造において、追加のＤＭ−ＲＳが付加されたものである。
【００６１】
この場合、通信環境の悪いＵＥがブロードキャストＰＤＳＣＨを受信することを保証するために、基地局は、スロット前端割り当てＤＭ−ＲＳと追加のＤＭ−ＲＳとを常に送信することが好ましい可能性がある。また、最も信頼性のある（reliable）送信方法を用いて、通信環境の悪いＵＥでも情報を受信できるように、ランク１送信方式２（すなわち、ダイバーシチ（diversity）ベースの送信方式）を用いて情報を送信し、これを受信するために、ＵＥは、ランク１送信方式２に用いられるＤＭ−ＲＳを用いてチャネルを推定することが好ましい。ブロードキャストＰＤＳＣＨがランク１送信方式２を用いて、単一のＤＭ−ＲＳポートを介して送信される場合、当該ＤＭ−ＲＳポートは、ＤＭ−ＲＳポートのうちの最小（最低）の（lowest）インデックスのアンテナポートに固定して用いることができる。もちろん、単一のＤＭ−ＲＳポートではなく、２つのＤＭ−ＲＳポートを用いる場合であれば、当該ＤＭ−ＲＳポートは、ＤＭ−ＲＳポートのうちの最小のインデックスの２つのポートに固定して用いることができる。
【００６２】
一方、ＮＲシステムでは、様々なスロットサイズをサポートする。例えば、１４個のＯＦＤＭシンボル（ＯＳ）で一つのスロットが構成されるか、７つのＯＳで構成されるか、それよりも小さい数のシンボル（例えば、３つのＯＳ）で構成されるミニスロットなどの様々な設定が存在する。特に、ミニスロットでブロードキャスト情報（例えば、ページング信号）が送信される場合、スロットのサイズが小さいため、追加のＤＭ−ＲＳを用いることは好ましくない。よって、この場合には、スロット前端割り当てＤＭ−ＲＳのみを用いることができ、より好ましくは、１つのシンボルのみをスロット前端割り当てＤＭ−ＲＳ送信に用いることができる。
【００６３】
スロットが７つのＯＳで構成される場合にも同様に、スロット前端割り当てＤＭ−ＲＳのみを送信するように制限することが好ましい。しかしながら、非常に高いドップラ効果が存在したり、ＳＩＮＲが非常に低い場合を考慮して、スロットが７つのＯＳで構成される場合であっても、ＤＭ−ＲＳシンボルの数を基地局が設定することが好ましい場合がある。例えば、スロット前端割り当てＤＭ−ＲＳを用いるものの、１つのシンボルのＤＭ−ＲＳ又は２つのシンボルのＤＭ−ＲＳのうちの１つを選択することができ、追加のＤＭ−ＲＳを使用しない。また、追加のＤＭ−ＲＳシンボルを使用するか否かもシグナリングして、様々な状況に対する柔軟な運用を保証することができる。もちろん、スロットが１４個のＯＳで構成される場合には、スロット前端割り当てＤＭ−ＲＳと追加のＤＭ−ＲＳとをいずれも使用することが好ましい。
【００６４】
以下では、スロットを構成するＯＳの数に応じて、追加のＤＭ−ＲＳシンボルの数に対して、互いに異なる制限を適用することを提案する。具体的には、ミニスロット、７つのＯＳのスロット、１４個のＯＳのスロットのそれぞれに対して、最小Ｌ１，Ｍ１，Ｎ１から最大Ｌ２，Ｍ２，Ｎ２の追加のＤＭ−ＲＳシンボルが設定されることができる。例えば、Ｌ１＝０，Ｍ１＝０，Ｎ１＝２，Ｌ２＝０，Ｍ２＝１，Ｎ２＝４と設定することができ、上述したスロットの種類に応じて、基地局は、上記範囲内において追加のＤＭ−ＲＳの数をＵＥに指示することができる。これは、ブロードキャストＰＤＳＣＨ、ユニキャスト（unicast）ＰＤＳＣＨの送信のためのＤＭ−ＲＳ設定のいずれにも適用できる。或いは、ブロードキャストＰＤＳＣＨの場合、スロットの種類に応じて、Ｌ２，Ｍ２，Ｎ２に追加のＤＭ−ＲＳの数を常に固定して使用する。
【００６５】
さらに、スロット前端割り当てＤＭ−ＲＳのシンボル数は、スロット種類に応じて互いに異なる制限を適用することを提案する。具体的には、ミニスロット、７つのＯＳのスロット、１４個のＯＳのスロットのそれぞれに対して、最大のＬ２，Ｍ２，Ｎ２個のスロット前端割り当てＤＭ−ＲＳシンボルを設定することができる。例えば、Ｌ２＝０，Ｍ２＝１，Ｎ２＝１と設定することができ、スロットの種類に応じて、基地局は、上記範囲内においてスロット前端割り当てＤＭ−ＲＳのＯＳの数をＵＥに指示することができる。これは、ブロードキャストＰＤＳＣＨ、ユニキャスト（unicast）ＰＤＳＣＨの送信のためのＤＭ−ＲＳの設定にいずれも適用されることができる。或いは、ブロードキャストＰＤＳＣＨの場合、上述したスロットの種類に応じて、Ｌ２，Ｍ２，Ｎ２個と、スロット前端割り当てＤＭ−ＲＳのＯＳの数を常に固定して使用する。
【００６６】
スロット前端割り当てＤＭ−ＲＳのみを使用するか、スロット前端割り当てＤＭ−ＲＳと追加のＤＭ−ＲＳとをいずれも使用するか、又はいくつ（か）のＤＭ−ＲＳシンボルを使用するか（又は、ＤＭ−ＲＳ密度（density）を増加させるか否か）については、通信シナリオによって異なり得る。例えば、インドアホットスポット（indoor hot spot）間は、スモールセル環境では、ＵＥの速度が速くないため、スロット前端割り当てＤＭ−ＲＳのみを用いて、大型セルでは、追加のＤＭ−ＲＳも共に用いるようにすることが好ましい。
【００６７】
本明細書において、ＤＭ−ＲＳ設定は、スロット前端割り当てＤＭ−ＲＳのみを使用するか、スロット前端割り当てＤＭ−ＲＳと追加のＤＭ−ＲＳとをいずれも使用するか、又はいくつのＤＭ−ＲＳシンボルを使用するか（又は、ＤＭ−ＲＳ密度（density）を増加させるか否か）について、追加のＤＭ−ＲＳの数、ＤＭ−ＲＳ  ＲＥパターン、ＤＭ−ＲＳコーム（comb）値（すなわち、ＲＰＦ（Repetition Factor））、スロット前端割り当てＤＭ−ＲＳのＯＳの数などの様々な形態として定義されることができる。
【００６８】
上述のように、ブロードキャストＰＤＳＣＨに対するＤＭ−ＲＳ設定をサポートするために、ＰＢＣＨ又はＰＤＣＣＨにブロードキャストＰＤＳＣＨに対するＤＭ−ＲＳ設定情報を知らせることが好ましい。このとき、ユニキャストＰＤＳＣＨ（すなわち、Ｃ−ＲＮＴＩでスクランブルされたＰＤＳＣＨ）に対するＤＭ−ＲＳ設定とは別に、ブロードキャストＰＤＳＣＨに対するＤＭ−ＲＳ設定情報が区分（識別）され（identified）て指示される必要がある。
【００６９】
一方、ＰＤＣＣＨによってブロードキャストＰＤＳＣＨに対するＤＭ−ＲＳ設定情報を知らせる場合、以下の点を考慮してＤＣＩを設計する。
【００７０】
先ず、ユニキャストＰＤＳＣＨの場合、各ＵＥのチャネルの時変性（time variability）、移動速度、ドップラサイズなどのチャネル特性及び環境を考慮して、様々なＤＭ−ＲＳ情報をシグナリングする。具体的には、追加のＤＭ−ＲＳの数、ランク及びＭＵ−ＭＩＭＯ送信のための様々なポート情報、ｎＳＣＩＤなどを伝達する必要があり、その結果、ＤＣＩにおけるＤＭ−ＲＳシグナリングオーバーヘッドが大きい。
【００７１】
一方、ブロードキャストＰＤＳＣＨの場合、セル境界に位置するＵＥを考慮してランクをＮ以下（例えば、Ｎ＝１）に限定し、ＳＵ−ＭＩＭＯ送信のみをサポートすることによってＤＣＩで伝達すべきＤＭ−ＲＳ情報量が相対的に少ないため、コンパクト（compact）なＤＭ−ＲＳフィールドを設計することが好ましい。例えば、ｎＳＣＩＤ＝０、ランク＝１、ポートは、最小のインデックスのアンテナポートに固定、ＯＣＣ長及びＤＭ−ＲＳ間のＦＤＭであるコーム値を意味するＲＰＦを（まで）特定値に固定することで、ＤＣＩに上記情報を伝達しない。或いは、ブロードキャストＰＤＳＣＨに対するＤＭ−ＲＳ設定とユニキャストＰＤＳＣＨに対するＤＭ−ＲＳ設定とは、異なる範囲内で定義されてもよい。例えば、ＮＲシステムにおいて、Ｋ個のＤＭ−ＲＳ  ＲＥパターン、Ｌ個のＲＰＦ値がサポートされる場合、ユニキャストＰＤＳＣＨに関する基地局は、Ｋ個のＤＭ−ＲＳ  ＲＥパターン、ＲＰＦ値のうちの１つをＵＥに指示する反面、ブロードキャストＰＤＳＣＨに関するＤＭ−ＲＳ情報は、特定のサブセット値のうちの１つをＵＥに指示するか、特定値に常に固定して使用する。例えば、合計Ｋ個のＤＭ−ＲＳ  ＲＥパターン、Ｌ個のＲＰＦ値のうちの特定値に常に固定してブロードキャストＰＤＳＣＨのＤＭ−ＲＳを送信する。又は、特定値に制限されたＰ個のＤＭ−ＲＳ  ＲＥパターン（Ｋ＞Ｐ）、Ｑ個のＲＦＰ値（Ｌ＞Ｑ）のうちの１つを指示する。
【００７２】
ブロードキャストＰＤＳＣＨに関するＤＣＩは、ＲＡ（Random Access）−ＲＮＴＩ、Ｐ−ＲＮＴＩ、ＳＩ−ＲＮＴＩを用いてＣＲＣマスクされるため、ＵＥは、ＵＥ−ＲＮＴＩ／Ｃ−ＲＮＴＩではなく、上記ＲＮＴＩを用いてＤＣＩのＣＲＣ検査に成功した場合、ブロードキャストＰＤＳＣＨのＤＣＩであることを把握することができる。本明細書では、これをＢ−ＤＣＩと呼ぶ。ブロードキャストＰＤＳＣＨに対するＤＭ−ＲＳ設定情報は、Ｂ−ＤＣＩによってＵＥに伝達されることができる。一方、ユニキャストＰＤＳＣＨに対するＤＭ−ＲＳ設定情報は、ブロードキャストＰＤＳＣＨに対するＤＭ−ＲＳ設定情報とは別に定義され、Ｂ−ＤＣＩではなく、一般のＤＣＩ（Ｃ−ＲＮＴＩ／ＵＥ−ＲＮＴＩｆでＣＲＣマスクされる）によってＵＥに伝達されることができる。
【００７３】
ユニキャストＰＤＳＣＨに対するＤＭ−ＲＳ設定情報のうちのスロット前端割り当てＤＭ−ＲＳのみを使用するか、スロット前端割り当てＤＭ−ＲＳと追加のＤＭ−ＲＳとをいずれも使用するか、又はいくつのＤＭ−ＲＳシンボルを使用するか（又は、ＤＭ−ＲＳ密度を増加させるか否か）について、追加のＤＭ−ＲＳ数、ＤＭ−ＲＳ  ＲＥパターン、ＤＭ−ＲＳコーム数（すなわち、ＲＰＦ（Repetition Factor））などは、上位層シグナリング（例えば、ＲＲＣ／ＭＡＣ）によって半静的に伝達される。この情報をＤＣＩで指示するのは、制御チャネルオーバーヘッドが大き過ぎるため好ましくない。また、この情報に影響を与えるＵＥのチャネル特性及びネットワーク環境が動的に変化しないため、動的に伝達する必要性が低い。ＤＭ−ＲＳ設定情報のうち動的に変更される必要のあるポートインデックス、ランク、ｎＳＣＩＤ、ＯＣＣ長、スロット前端割り当てＤＭ−ＲＳシンボル数（１つ又は２つ）、スロット前端割り当てＤＭ−ＲＳシンボルを繰り返す（repetition、repeat）か否か、スロット前端割り当てＤＭ−ＲＳシンボルの時間領域においてＣＤＭを適用するか否か、などは、依然として一般のＤＣＩによって指示される。
【００７４】
一方、ＳＩＢ、ページングなどの情報は、ＲＲＣ接続が行われる前にＵＥが受信しなければならないため、ブロードキャストＰＤＳＣＨに対するＤＭ−ＲＳ設定情報は、上位層シグナリングで伝達されず、Ｂ−ＤＣＩ又はＰＢＣＨのＳＩＢによって伝達されることを提案する。すなわち、ブロードキャストＰＤＳＣＨ  ＤＭ−ＲＳ設定情報のうちスロット前端割り当てＤＭ−ＲＳのみを使用するか、スロット前端割り当てＤＭ−ＲＳと追加のＤＭ−ＲＳとをいずれも使用するか、又はいくつのＤＭ−ＲＳシンボルを使用するかについて、追加のＤＭ−ＲＳ数、ＤＭ−ＲＳ  ＲＥパターン、ＤＭ−ＲＳコーム数、スロット前端割り当てＤＭ−ＲＳシンボル数（１つ又は２つ）、スロット前端割り当てＤＭ−ＲＳシンボルを繰り返すか否か、スロット前端割り当てＤＭ−ＲＳシンボルの時間領域においてＣＤＭを適用するか否かなどは、Ｂ−ＤＣＩ及び／又はＰＢＣＨ  ＳＩＢによって伝達され、その他のＤＭ−ＲＳ情報は、常に特定値に固定して使用する。
【００７５】
また、ブロードキャストＰＤＳＣＨに対するＤＭ−ＲＳ設定は、動的に変更する必要性が低いため、ＰＤＣＣＨによって指示されず、ＰＢＣＨのＳＩＢによって半静的に指示されるように制限してもよい。ＰＤＣＣＨによるＤＭ−ＲＳ設定指示は、ユニキャスト送信に限って適用される。例えば、ＰＢＣＨのＳＩＢ／ＲＭＳＩ／ＭＩＢによってＰＤＳＣＨのＳＩＢ受信に用いられるＤＭ−ＲＳ設定を指示する。また、ＰＤＳＣＨのページング受信に用いられるＤＭ−ＲＳ設定を指示する。
【００７６】
また、ＰＤＳＣＨのページング受信に用いられるＤＭ−ＲＳ設定は、ＰＤＳＣＨのＳＩＢによって指示されてもよい。すなわち、ＰＤＳＣＨのＳＩＢ受信に用いられるＤＭ−ＲＳ設定指示は、ＰＢＣＨのＳＩＢによって指示され、ＰＤＳＣＨのページング受信に用いられるＤＭ−ＲＳ設定指示は、ＰＤＳＣＨのＳＩＢによって指示される。その結果、ページングに対しては、より高い頻度でＤＭ−ＲＳ設定を指示することができる。
【００７７】
さらに、ブロードキャストＰＤＳＣＨとユニキャストＰＤＳＣＨとのスケジューリング情報の範囲を異ならせて設定して、ブロードキャストＰＤＳＣＨのデコーディングのための制御情報オーバーヘッドを減らすことができる。例えば、ブロードキャストＰＤＳＣＨは、ＳＮＲの低いＵＥを考慮して、低い変調次数に固定するか、又は範囲そのものを相対的に低い変調次数に限定して指示する。例えば、２５６ＱＡＭ以上はブロードキャストＰＤＳＣＨに適しないため、制御情報に２５６ＱＡＭ以上は指示せず、その結果、変調次数のための制御情報オーバーヘッドを減らすことができる。
【００７８】
一方、近来のＮＲシステムでは、ＤＭ−ＲＳ設定のタイプ１及びタイプ２が定義されている。ＤＭ−ＲＳ設定タイプ１は、コーム２（すなわち、ＲＰＦ＝２）に多重化され、ＤＭ−ＲＳ設定タイプ２は、コーム３（すなわち、ＲＰＦ＝３）に多重化される。また、各タイプでは、ＯＣＣが適用され、シンボル当り２ポートが割り当てられることができる。ここで、コーム２とは、２つのＤＭ−ＲＳシーケンスが２つのＲＥ単位で周波数軸に多重化されることを意味して、コーム３とは、３つのＤＭ−ＲＳシーケンスが３つのＲＥ単位で周波数軸に多重化されることを意味する。
【００７９】
この場合、ブロードキャストＰＤＳＣＨは、ランク１のような低ランク送信に限られるため、多くのＤＭ−ＲＳポートを定義する必要がない。よって、ブロードキャストＰＤＳＣＨのＤＭ−ＲＳは、ＤＭ−ＲＳ設定１に限定する。または、ＤＭ−ＲＳポートが少ないＤＭ−ＲＳ設定２の１つのシンボルのスロット前端割り当てＤＭ−ＲＳに限定して使用する。
【００８０】
同様に、２つのシンボルのスロット前端割り当てＤＭ−ＲＳの使用は不要である。よって、ブロードキャストＰＤＳＣＨは、１つのスロット前端割り当てＤＭ−ＲＳシンボルで送信され、追加のＤＭ−ＲＳ  ＯＳの有無、ＯＳ数及びＯＳ位置がさらに設定されるか、固定した数及び固定したＯＳ位置に追加のＤＭ−ＲＳが常に送信される。このとき、スロット前端割り当てＤＭ−ＲＳと追加のＤＭ−ＲＳとのパターンは、同一である。（すなわち、同一のＲＰＦ値と同一のＣＳとを有して、各ＤＭ−ＲＳ  ＯＳにおいてＤＭ−ＲＳ  ＲＥ密度が同一である。）
【００８１】
また、より柔軟なスケジューリングのためには、ブロードキャストＰＤＳＣＨ送信にスロット前端割り当てＤＭ−ＲＳシンボルと追加のＤＭ−ＲＳシンボルとが共に送信される場合は、いずれのパターンを使用するかを基地局がＵＥに設定することができ、これは、ＰＢＣＨにおいてＳＩＢに定義されてもよく、ＰＤＣＣＨにおいてＢ−ＤＣＩに定義されてもよく、ＰＤＳＣＨにおいてＳＩＢに定義されてもよい。また、ブロードキャストＰＤＳＣＨにおいて使用するスロット前端割り当てＤＭ−ＲＳ設定タイプ１又はタイプ２のうちの１つを基地局がＵＥに設定することができ、これは、ＰＢＣＨにおいてＳＩＢに定義されてもよく、ＰＤＣＣＨにおいてＢ−ＤＣＩに定義されてもよく、ＰＤＳＣＨにおいてＳＩＢに定義されてもよい。
【００８２】
ＵＥは、ＲＲＣ接続が行われる前には、ブロードキャスト／マルチキャストＰＤＳＣＨに対して固定されたＤＭ−ＲＳパターンでＤＭ−ＲＳを受信することが好ましい。これは、ＲＲＣ接続の前にＤＭ−ＲＳパターン情報がＵＥに伝達されるためにはＰＢＣＨを利用する必要があるからである。具体的には、ＰＢＣＨは、制御情報容量も不足し、他の重要な制御情報のために利用することが好ましいため、ＲＲＣ接続の前には、基地局及びＵＥは、固定されたＤＭ−ＲＳパターンを使用する。もちろん、ＲＲＣ接続の後には、ＳＩ  ＲＮＴＩ、Ｐ  ＲＮＴＩ又はＲＡ  ＲＮＴＩでマスクされたＤＣＩによって、ＤＭ−ＲＳ設定が伝達されてもよい。ＲＲＣ接続の前に送信されるブロードキャスト／マルチキャストＰＤＳＣＨには、代表的にはＲＡＲ、ＳＩＢがあり、ＲＲＣ接続の後に送信されるブロードキャスト／マルチキャストＰＤＳＣＨには、代表的にはページング、ＳＩＢがある。
【００８３】
さらに、ＲＡＲ（Random Access Response）は、メッセージ１を送信した多重（複数の）ＵＥにマルチキャストされるＰＤＳＣＨであるため、ＲＡＲもＳＩＢ−ＰＤＳＣＨやページングのようにＤＭ−ＲＳ設定が決定されることができる。また、ＲＡ  ＲＮＴＩでマスクされたＤＣＩにＲＡＲのＤＭ−ＲＳ設定情報が含まれてＵＥに伝達されてもよい。
【００８４】
図９は、本発明の実施例によって、ＮＲシステムにおける端末がブロードキャストＰＤＳＣＨを受信する方法を例示するフローチャートである。
【００８５】
図９を参照すると、ステップ９０１において、端末は、基地局から下りリンク制御チャネル、すなわち、ＰＤＣＣＨを受信する。ここで、ＰＤＣＣＨがＣ−ＲＮＴＩではなく、ＳＩ−ＲＮＴＩ又はＰ（Paging）−ＲＮＴＩでスクランブルされていると仮定する。
【００８６】
ステップ９０３において、端末は、ＰＤＳＣＨの復調のためのスロット前端割り当てＤＭ−ＲＳの他に追加のＤＭ−ＲＳが存在するか否かを決定する。具体的には、ＰＤＳＣＨに割り当てられるシンボル数に基づいて、スロット前端割り当てＤＭ−ＲＳに付加される追加のＤＭ−ＲＳが受信されるか否かが決定されることもできる。もちろん、追加のＤＭ−ＲＳのシンボル数は、ＰＤＳＣＨが割り当てられるシンボル数によって固定される。結果として、本発明によれば、ＰＤＣＣＨは、スロット前端割り当てＤＭ−ＲＳ及び追加のＤＭ−ＲＳに関する情報を含まず、固定されたパラメータを用いて送受信されることを特徴とする。また、スロット前端割り当てＤＭ−ＲＳは、下りリンク制御チャネルが特定の識別子でマスクされた場合、最小インデックスのアンテナポート上の単一シンボル上において繰り返し因子が２つである、すなわち、ＤＭ−ＲＳ設定タイプ１であることが好ましい。これは、ブロードキャスト情報の特性上、セル境界に位置する端末にも安定的に情報を伝達しなければならないことから、信頼性を確保するためである。
【００８７】
最後に、ステップ９０５において、端末は、ＰＤＣＣＨがスケジューリングするＰＤＳＣＨ及びＰＤＳＣＨの復調のためのスロット前端割り当てＤＭ−ＲＳを受信する。また、ステップ９０３の結果によって、ＰＤＳＣＨの復調のための追加のＤＭ−ＲＳをスロット前端割り当てＤＭ−ＲＳと共に受信することもできる。同様に、ＰＤＳＣＨは、Ｃ−ＲＮＴＩではなく、ＳＩ−ＲＮＴＩ又はＰ−ＲＮＴＩでスクランブルされていると仮定する。この場合、ＰＤＳＣＨは、ユニキャスト方式ではなく、ブロードキャスト／マルチキャスト方式のＰＤＳＣＨであることを意味する。
【００８８】
図１０は、本発明の一実施例による通信装置のブロック構成図を例示する。
【００８９】
図１０を参照すると、通信装置１０００は、プロセッサ１０１０、メモリ１０２０、ＲＦ（無線周波、無線通信）モジュール１０３０、ディスプレイモジュール１０４０及びユーザインターフェースモジュール１０５０を含む。
【００９０】
通信装置１０００は、説明の便宜のために例示されたもので、一部のモジュールは省略されてもよい。また、通信装置１０００は、必要なモジュールをさらに備えてもよい。また、通信装置１０００において、一部のモジュールは、より細分化したモジュールにしてもよい。プロセッサ１０１０は、図面を参照して例示した本発明の実施例による動作を実行するように構成される。具体的には、プロセッサ１０１０の詳細な動作は、図１乃至図９に記載された内容を参照すればよい。
【００９１】
メモリ１０２０は、プロセッサ１０１０に接続し、オペレーティングシステム、アプリケーション、プログラムコード、データなどを記憶する。ＲＦモジュール１０３０は、プロセッサ１０１０に接続し、ベースバンド（基底帯域）（baseband）信号を無線信号に変換したり、無線信号をベースバンド信号に変換する機能を行う。そのために、ＲＦモジュール１０３０は、アナログ変換、増幅、フィルタリング及び周波数アップコンバート、又はこれらの逆過程を行う。ディスプレイモジュール１０４０は、プロセッサ１０１０に接続し、様々な情報を表示（ディスプレイ）する（display）。ディスプレイモジュール１０４０は、これに制限されるものではないが、ＬＣＤ（Liquid Crystal Display）、ＬＥＤ（Light Emitting Diode）、ＯＬＥＤ（Organic Light Emitting Diode）などの周知の要素を使用できる。ユーザインターフェースモジュール１０５０は、プロセッサ１０１０に接続し、キーパッド、タッチスクリーンなどの周知のユーザインターフェースの組み合わせで構成可能である。
【００９２】
以上に説明した実施例は、本発明の構成要素及び特徴が所定形態に結合されたものである。それぞれの構成要素又は特徴は、特に明示的に言及しない限り、選択的なものとして考慮しなければならない。それぞれの構成要素又は特徴は、他の構成要素や特徴と組み合わせられない形態で実施することができる。また、一部の構成要素及び／又は特徴を組み合わせて本発明の実施例を構成することも可能である。本発明の実施例で説明する動作の順序は、変更可能である。ある実施例の一部の構成や特徴は、他の実施例に含まれることができ、或いは他の実施例の対応する構成又は特徴に置き換えられることができる。特許請求の範囲で明示的な引用関係がない請求項を組み合わせて実施例を構成するか、或いは出願後補正によって新たな請求項として含めることができるのはいうまでもない。
【００９３】
この明細書にて説明した基地局により行われる特定の動作は、場合によってはその上位ノード（upper node）により行われることができる。即ち、基地局を含む複数のネットワークノード（network nodes）からなるネットワークにおいて端末との通信のために行われる様々な動作は、基地局又は基地局以外の他のネットワークノードにより行われることができる。基地局は、固定局（fixed station）、ＮｏｄｅＢ、ｅＮｏｄｅＢ（ｅＮＢ）、アクセスポイント（access point）などの用語に置き換えることができる。
【００９４】
本発明に係る実施例は、多様な手段、例えば、ハードウェア、ファームウェア（firmware）、ソフトウェア又はこれらの結合などによって具現できる。ハードウェアによる具現の場合、本発明の一実施例は、１つ又は複数のＡＳＩＣｓ（application specific integrated circuits）、ＤＳＰｓ（digital signal processors）、ＤＳＰＤｓ（digital signal processing devices）、ＰＬＤｓ（programmable logic devices）、ＦＰＧＡｓ（field programmable gate arrays）、プロセッサ、コントローラ、マイクロコントローラ、マイクロプロセッサなどによって具現される。
【００９５】
ファームウェアやソフトウェアによる具現の場合、本発明の一実施例は、以上で説明した機能又は動作を行うモジュール、手順、関数などの形態で具現することができる。ソフトウェアコードは、メモリユニットに記憶されてプロセッサによって駆動されることができる。メモリユニットは、プロセッサの内部又は外部に位置し、既に公知の多様な手段によって、プロセッサとデータをやり取りすることができる。
【００９６】
本発明は、本発明の特徴を逸脱しない範囲内で他の特定の形態で具体化されることができることは、当業者にとって明らかである。したがって、上記詳細な説明は、すべての面で制限的に解釈されてはならず、例示的なものとして考慮されなければならない。本発明の範囲は、添付の特許請求の範囲の合理的解釈によって決定されなければならず、本発明の等価的範囲内でのすべての変更は、本発明の範囲に含まれる。
【産業上の利用可能性】
【００９７】
上述のような次世代通信システムにおいて、コードワードとレイヤとをマッピングする方法及びそのための装置は、３ＧＰＰ  ＬＴＥシステムに適用される例を中心として説明したが、３ＧＰＰ  ＬＴＥシステムの他にも様々な無線通信システムに適用することができる。
【図１】
2019537905.tif 000003
【図２】
2019537905.tif 000004
【図３】
2019537905.tif 000005
【図４】
2019537905.tif 000006
【図５】
2019537905.tif 000007
【図６】
2019537905.tif 000008
【図７（Ａ）】
2019537905.tif 000009
【図７（Ｂ）】
2019537905.tif 000010
【図８】
2019537905.tif 000011
【図９】
2019537905.tif 000012
【図１０】
2019537905.tif 000013
【国際調査報告】
2019537905.tif 000014
2019537905.tif 000015
2019537905.tif 000016
2019537905.tif 000017